(57)【要約】【課題】  ユーザが希望する情報をユーザの携帯情報端末に配信する。【解決手段】  携帯情報端末１との間で近距離無線通信を行うことが可能な近距離無線通信部３０と、携帯情報端末１に対して配信可能な配信情報を記憶保持する配信情報記憶部４１と、を備える。近距離無線通信部３０は、携帯情報端末のユーザが配信を希望する情報の種類を示す配信情報種類データを、近距離無線通信により前記携帯情報端末から読み取る。更に、近距離無線通信部３０は、読み取った配信情報種類データと合致する種類の配信情報を配信情報記憶部から抽出する。近距離無線通信部３０は、抽出した配信情報を近距離無線通信により携帯情報端末１に配信する。【選択図】    図３
2009130710.tif 000002
【特許請求の範囲】
【請求項１】
携帯情報端末との間で近距離無線通信を行うことが可能な近距離無線通信部と、
前記携帯情報端末に対して配信可能な配信情報を記憶保持する配信情報記憶部と、
を備え、
前記近距離無線通信部は、前記携帯情報端末のユーザが配信を希望する情報の種類を示す配信情報種類データを、近距離無線通信により前記携帯情報端末から読み取り、該読み取った配信情報種類データと合致する種類の配信情報を前記配信情報記憶部から抽出し、該抽出した配信情報を近距離無線通信により前記携帯情報端末に配信することを特徴とする情報配信装置。
【請求項２】
何れの配信情報を前記携帯情報端末に配信したかを外部の管理装置に通知することを特徴とする請求項１に記載の情報配信装置。
【請求項３】
前記配信情報記憶部は、各配信情報に含まれる個々の項目についての詳細情報も記憶保持し、
前記近距離無線通信部は、前記携帯情報端末に配信した配信情報に含まれる個々の項目の中から、その詳細情報の配信を前記携帯情報端末のユーザが要求する項目を示す要詳細項目データを、近距離無線通信により前記携帯情報端末から読み取り、該読み取った要詳細項目データと合致する詳細情報を前記配信情報記憶部から抽出し、該抽出した詳細情報を近距離無線通信により前記携帯情報端末に配信することを特徴とする請求項１又は２に記載の情報配信装置。
【請求項４】
何れの詳細情報を前記携帯情報端末に配信したかを外部の管理装置に通知することを特徴とする請求項３に記載の情報配信装置。
【請求項５】
当該情報配信装置は、自動改札機又はバスに設置される料金機としての機能を兼ねるものである一方で、
前記携帯情報端末は、乗車券としての機能を兼ねるものであり、前記自動改札機又は前記料金機としての当該情報配信装置に読み取られる乗車券情報を記憶しており、
前記近距離無線通信部は、前記携帯情報端末に記憶された乗車券情報を近距離無線通信により読み取る際に、前記配信情報種類データの読み取りと、配信情報の配信と、を行うことを特徴とする請求項１乃至４のいずれか一項に記載の情報配信装置。
【請求項６】
当該情報配信装置は、自動改札機又はバスに設置される料金機としての機能を兼ねるものである一方で、
前記携帯情報端末は、乗車券としての機能を兼ねるものであり、前記自動改札機又は前記料金機としての当該情報配信装置に読み取られる乗車券情報を記憶しており、
前記近距離無線通信部は、前記携帯情報端末に記憶された乗車券情報を近距離無線通信により読み取る際に、前記配信情報種類データ及び前記要詳細項目データの読み取りと、配信情報及び詳細情報の配信と、を行うことを特徴とする請求項３又は４に記載の情報配信装置。
【請求項７】
当該情報配信装置は、当該情報配信装置から前記携帯情報端末に対して配信情報を配信するに際し、当該配信情報と関連する情報であって、当該配信情報よりも情報量が大きく当該情報配信装置以外の情報配信装置から前記携帯情報端末に対して配信可能な配信情報が存在する場合に、その旨を前記携帯情報端末に通知することを特徴とする請求項１乃至６のいずれか一項に記載の情報配信装置。
【請求項８】
情報配信装置から配信情報の配信を受けることが可能な携帯情報端末において、
ユーザが配信を希望する情報の種類を示す配信情報種類データを記憶保持する希望配信情報記憶部と、
前記情報配信装置との間で近距離無線通信を行うことが可能な近距離無線通信部と、
を備え、
前記近距離無線通信部は、前記配信情報種類データを近距離無線通信により前記情報配信装置に読み取らせ、前記配信情報種類データと合致する種類の配信情報を近距離無線通信により前記情報配信装置から取得することを特徴とする携帯情報端末。
【請求項９】
ユーザによる操作を受け付ける操作部と、表示動作を行う表示部と、制御部と、を備え、
前記制御部は、ユーザが配信を希望する情報の種類を設定するための配信情報設定画面を前記表示部に表示させ、
前記配信情報設定画面が表示された状態でユーザが前記操作部に対して何れかの種類を設定する操作を行うと、前記制御部は、ユーザが設定した種類を示す配信情報種類データを前記希望配信情報記憶部に記憶させることを特徴とする請求項８に記載の携帯情報端末。
【請求項１０】
当該携帯情報端末に配信された配信情報に含まれる個々の項目についての詳細情報のうち、ユーザが配信を要求する詳細情報を示す要詳細項目データを記憶保持する要詳細項目記憶部を更に備え、
前記近距離無線通信部は、前記要詳細項目データを近距離無線通信により前記情報配信装置に読み取らせ、前記要詳細項目データと合致する詳細情報を近距離無線通信により前記情報配信装置から取得することを特徴とする請求項８又は９に記載の携帯情報端末。
【請求項１１】
ユーザによる操作を受け付ける操作部と、表示動作を行う表示部と、制御部と、を備え、
前記制御部は、前記情報配信装置から配信された配信情報をユーザに閲覧させるための情報閲覧画面を、該配信情報に含まれる個々の項目をユーザにより選択可能なように表示させ、
前記情報閲覧画面が表示された状態でユーザが前記操作部に対して何れかの項目を選択する操作を行うと、前記制御部は、ユーザが選択した項目を示す要詳細項目データを前記要詳細項目記憶部に記憶させることを特徴とする請求項１０に記載の携帯情報端末。
【請求項１２】
前記情報配信装置は、自動改札機又はバスに設置される料金機としての機能を兼ねるものである一方で、
当該携帯情報端末は、乗車券としての機能を兼ねるものであり、前記自動改札機又は前記料金機としての前記情報配信装置に読み取られる乗車券情報を記憶していることを特徴とする請求項８乃至１１のいずれか一項に記載の携帯情報端末。
【請求項１３】
前記情報配信装置から配信される配信情報と関連する情報であって当該配信情報よりも情報量が大きく前記情報配信装置以外の情報配信装置から当該携帯情報端末に対して配信可能な配信情報が存在する旨の通知を前記情報配信装置から受けると、その旨をユーザに報知することを特徴とする請求項８乃至１２のいずれか一項に記載の携帯情報端末。
【請求項１４】
携帯情報端末と、
前記携帯情報端末に対して情報を配信する情報配信装置と、
を備え、
前記携帯情報端末は、
ユーザが配信を希望する情報の種類を示す配信情報種類データを記憶保持する希望配信情報記憶部と、
端末側近距離無線通信部と、
を備え、
前記情報配信装置は、
前記端末側近距離無線通信部との間で近距離無線通信を行うことが可能な配信装置側近距離無線通信部と、
前記携帯情報端末に対して配信可能な配信情報を記憶保持する配信情報記憶部と、
を備え、
前記配信装置側近距離無線通信部は、前記希望配信情報記憶部に記憶されている配信情報種類データを近距離無線通信により前記端末側近距離無線通信部から読み取り、該読み取った配信情報種類データと合致する種類の配信情報を前記配信情報記憶部から抽出し、該抽出した配信情報を近距離無線通信により前記端末側近距離無線通信部に書き込むことを特徴とする情報配信システム。
【請求項１５】
前記配信情報記憶部は、各配信情報に含まれる個々の項目についての詳細情報も記憶保持し、
前記携帯情報端末は、当該携帯情報端末に配信された配信情報に含まれる個々の項目についての詳細情報のうち、ユーザが配信を要求する詳細情報を示す要詳細項目データを記憶保持する要詳細項目記憶部を更に備え、
前記配信装置側近距離無線通信部は、前記要詳細項目記憶部に記憶されている要詳細項目データを近距離無線通信により前記端末側近距離無線通信部から読み取り、該読み取った要詳細項目データと合致する詳細情報を前記配信情報記憶部から抽出し、該抽出した詳細情報を近距離無線通信により前記端末側近距離無線通信部に書き込むことを特徴とする請求項１４に記載の情報配信システム。
【請求項１６】
前記情報配信装置は、自動改札機又はバスに設置される料金機としての機能を兼ねるものである一方で、
前記携帯情報端末は、乗車券としての機能を兼ねるものであり、前記自動改札機又は前記料金機としての当該情報配信装置に読み取られる乗車券情報を記憶しており、
前記配信装置側近距離無線通信部は、前記携帯情報端末に記憶された乗車券情報を近距離無線通信により読み取る際に、前記配信情報種類データの読み取りと、前記端末側近距離無線通信部への配信情報の書き込みと、を行うことを特徴とする請求項１４又は１５に記載の情報配信システム。
【請求項１７】
配信情報の配信状況を管理する管理装置を更に備え、
前記情報配信装置は、何れの配信情報を前記携帯情報端末に配信したかを前記管理装置に通知し、
前記管理装置は、前記情報配信装置からの通知に基づいて、前記配信状況を更新することを特徴とする請求項１４乃至１６のいずれか一項に記載の情報配信システム。
【請求項１８】
配信情報及び詳細情報の配信状況を管理する管理装置を更に備え、
前記情報配信装置は、何れの配信情報を前記携帯情報端末に配信したか、及び、何れの詳細情報を前記携帯情報端末に配信したかを前記管理装置に通知し、
前記管理装置は、前記情報配信装置からの通知に基づいて、前記配信状況を更新することを特徴とする請求項１５に記載の情報配信システム。
【請求項１９】
携帯情報端末と、
前記携帯情報端末に対して比較的小容量の情報を配信する第１情報配信装置と、
前記携帯情報端末に対して比較的大容量の情報を配信する第２情報配信装置と、
を備え、
前記携帯情報端末は、
ユーザが配信を希望する情報の種類を示す配信情報種類データを記憶保持する希望配信情報記憶部と、
端末側近距離無線通信部と、
を備え、
前記第１情報配信装置は、
前記端末側近距離無線通信部との間で近距離無線通信を行うことが可能な第１配信装置側近距離無線通信部と、
前記携帯情報端末に対して配信可能な比較的小容量の配信情報を記憶保持する第１配信情報記憶部と、
を備え、
前記第２情報配信装置は、
前記端末側近距離無線通信部との間で近距離無線通信を行うことが可能な第２配信装置側近距離無線通信部と、
前記携帯情報端末に対して配信可能な比較的大容量の配信情報を記憶保持する第２配信情報記憶部と、
を備え、
前記第１配信装置側近距離無線通信部は、前記希望配信情報記憶部に記憶されている配信情報種類データを近距離無線通信により前記端末側近距離無線通信部から読み取り、該読み取った配信情報種類データと合致する種類の比較的小容量の配信情報を前記第１配信情報記憶部から抽出し、該抽出した比較的小容量の配信情報を近距離無線通信により前記端末側近距離無線通信部に書き込み、
前記第２配信装置側近距離無線通信部は、前記希望配信情報記憶部に記憶されている配信情報種類データを近距離無線通信により前記端末側近距離無線通信部から読み取り、該読み取った配信情報種類データと合致する種類の比較的大容量の配信情報を前記第２配信情報記憶部から抽出し、該抽出した比較的大容量の配信情報を近距離無線通信により前記端末側近距離無線通信部に書き込むことを特徴とする情報配信システム。
【請求項２０】
前記第１情報配信装置は、自動改札機又はバスに設置される料金機としての機能を兼ねるものである一方で、
前記携帯情報端末は、乗車券としての機能を兼ねるものであり、前記自動改札機又は前記料金機としての前記第１情報配信装置に読み取られる乗車券情報を記憶しており、
前記第１配信装置側近距離無線通信部は、前記第１携帯情報端末に記憶された乗車券情報を近距離無線通信により読み取る際に、前記配信情報種類データの読み取りと、前記端末側近距離無線通信部への配信情報の書き込みと、を行うことを特徴とする請求項１９に記載の情報配信システム。
【請求項２１】
前記第１及び第２配信情報記憶部は、各配信情報に含まれる個々の項目についての詳細情報も記憶保持し、
前記携帯情報端末は、当該携帯情報端末に配信された配信情報に含まれる個々の項目についての詳細情報のうち、ユーザが配信を要求する詳細情報を示す要詳細項目データを記憶保持する要詳細項目記憶部を更に備え、
前記第１配信装置側近距離無線通信部は、前記要詳細項目記憶部に記憶されている要詳細項目データを近距離無線通信により前記端末側近距離無線通信部から読み取り、該読み取った要詳細項目データと合致する詳細情報を前記第１配信情報記憶部から抽出し、該抽出した詳細情報を近距離無線通信により前記端末側近距離無線通信部に書き込み、
前記第２配信装置側近距離無線通信部は、前記要詳細項目記憶部に記憶されている要詳細項目データを近距離無線通信により前記端末側近距離無線通信部から読み取り、該読み取った要詳細項目データと合致する詳細情報を前記第２配信情報記憶部から抽出し、該抽出した詳細情報を近距離無線通信により前記端末側近距離無線通信部に書き込むことを特徴とする請求項１９又は２０に記載の情報配信システム。
【請求項２２】
前記第１情報配信装置は、当該第１情報配信装置から前記携帯情報端末に配信する配信情報と関連する情報であって、当該配信情報よりも情報量が大きく前記第２情報配信装置から前記携帯情報端末に対して配信可能な配信情報が存在する場合に、その旨を前記携帯情報端末に通知することを特徴とする請求項１９乃至２１のいずれか一項に記載の情報配信システム。
【請求項２３】
前記携帯情報端末は、前記第１情報配信装置から配信される配信情報と関連する情報であって当該配信情報よりも情報量が大きく前記第２情報配信装置から前記携帯情報端末に対して配信可能な配信情報が存在する旨の通知を前記情報配信装置から受けると、その旨をユーザに報知することを特徴とする請求項２２に記載の情報配信システム。
【請求項２４】
情報配信装置から携帯情報端末に対して情報を配信する情報配信方法において、
前記情報配信装置が、前記携帯情報端末のユーザが配信を希望する情報の種類を示す配信情報種類データを、近距離無線通信により前記携帯情報端末から読み取る第１の過程と、
前記情報配信装置が、前記第１の過程にて読み取った配信情報種類データと合致する種類の配信情報を前記携帯情報端末に対して配信する第２の過程と、
を備えることを特徴とする情報配信方法。
【請求項２５】
前記携帯情報端末に配信した配信情報に含まれる個々の項目の中から、その詳細情報の配信を前記携帯情報端末のユーザが要求する項目を示す要詳細項目データを、前記情報配信装置が近距離無線通信により前記携帯情報端末から読み取る第３の過程と、
前記情報配信装置が、前記第３の過程にて読み取った要詳細項目データと合致する詳細情報を前記携帯情報端末に対して配信する第４の過程と、
を備えることを特徴とする請求項２４に記載の情報配信方法。
【発明の詳細な説明】
【技術分野】
【０００１】
本発明は、情報配信装置、携帯情報端末、情報配信システム及び情報配信方法に関する。
【背景技術】
【０００２】
本発明に関連する先行技術文献としては、特許文献１がある。
【０００３】
特許文献１には、近距離無線通信機能と電子マネー機能とを有する携帯端末と、携帯端末のユーザの改札通過時に近距離無線通信機能を用いて携帯端末に情報配信を行う改札機と、を備える広告配信システムが開示されている。
【０００４】
特許文献１における携帯端末が有する近距離無線通信機能としては、ＩＣカードを用いたものが示されている。
【０００５】
特許文献１の携帯端末は、近距離無線通信機能を用いた乗車券機能も有する。更に、携帯端末には、電子マネー機能を用いてユーザが購入した商品・購入金額・利用した店舗などの履歴を示す履歴情報などが記憶されている。
【０００６】
一方、特許文献１の改札機は、近距離無線通信によって、携帯端末のＩＣカードに記憶されている情報を読み込んだり、該ＩＣカードに情報を書き込んだりする。
【０００７】
特許文献１の改札機は、ユーザの改札通過時に携帯端末から読み出した履歴情報などに基づいて、そのユーザの携帯端末に対してどの広告を配信するかを自動的を判断し、配信すべき広告が存在する場合にその広告を携帯端末に配信する。
【０００８】
携帯端末のユーザは、配信された広告を表示部に表示させることにより閲覧することができる。
【０００９】
なお、特許文献１の段落番号００３４などには、「ユーザーのニーズに適合した広告を配信できる」旨の記載がある。
【００１０】
しかし、実際には、特許文献１の技術は、ユーザのニーズに応じた情報配信を行う訳ではなく、ユーザに配信する情報の種類は、上記の履歴情報などに基づいて改札機の方で自動的に判断する。
【特許文献１】特開２００７−２１３２７７号公報
【発明の開示】
【発明が解決しようとする課題】
【００１１】
特許文献１の技術では、ユーザのニーズに応じた情報配信を行う訳ではなく、ユーザに配信する情報の種類は改札機の方で自動的に判断する。つまり、ユーザ側では、配信を受ける情報の種類を自由に選択することはできない。
【００１２】
このため、特許文献１の技術では、ユーザが必要とする情報が携帯端末に配信されなかったり、ユーザが必要としない情報が携帯端末に配信されたりする、という問題が生じる。
【００１３】
本発明は、上記のような問題点を解決するためになされたもので、ユーザが希望する種類の情報をユーザの携帯情報端末に配信することが可能な情報配信装置、携帯情報端末、情報配信システム及び情報配信方法を提供することを目的とする。
【課題を解決するための手段】
【００１４】
上記課題を解決するため、本発明の情報配信装置は、携帯情報端末との間で近距離無線通信を行うことが可能な近距離無線通信部と、前記携帯情報端末に対して配信可能な配信情報を記憶保持する配信情報記憶部と、を備え、前記近距離無線通信部は、前記携帯情報端末のユーザが配信を希望する情報の種類を示す配信情報種類データを、近距離無線通信により前記携帯情報端末から読み取り、該読み取った配信情報種類データと合致する種類の配信情報を前記配信情報記憶部から抽出し、該抽出した配信情報を近距離無線通信により前記携帯情報端末に配信することを特徴としている。
【００１５】
また、本発明の携帯情報端末は、情報配信装置から配信情報の配信を受けることが可能な携帯情報端末において、ユーザが配信を希望する情報の種類を示す配信情報種類データを記憶保持する希望配信情報記憶部と、前記情報配信装置との間で近距離無線通信を行うことが可能な近距離無線通信部と、を備え、前記近距離無線通信部は、前記配信情報種類データを近距離無線通信により前記情報配信装置に読み取らせ、前記配信情報種類データと合致する種類の配信情報を近距離無線通信により前記情報配信装置から取得することを特徴としている。
【００１６】
また、本発明の情報配信システムは、携帯情報端末と、前記携帯情報端末に対して情報を配信する情報配信装置と、を備え、前記携帯情報端末は、ユーザが配信を希望する情報の種類を示す配信情報種類データを記憶保持する希望配信情報記憶部と、端末側近距離無線通信部と、を備え、前記情報配信装置は、前記端末側近距離無線通信部との間で近距離無線通信を行うことが可能な配信装置側近距離無線通信部と、前記携帯情報端末に対して配信可能な配信情報を記憶保持する配信情報記憶部と、を備え、前記配信装置側近距離無線通信部は、前記希望配信情報記憶部に記憶されている配信情報種類データを近距離無線通信により前記端末側近距離無線通信部から読み取り、該読み取った配信情報種類データと合致する種類の配信情報を前記配信情報記憶部から抽出し、該抽出した配信情報を近距離無線通信により前記端末側近距離無線通信部に書き込むことを特徴としている。
【００１７】
また、本発明の情報配信システムは、携帯情報端末と、前記携帯情報端末に対して比較的小容量の情報を配信する第１情報配信装置と、前記携帯情報端末に対して比較的大容量の情報を配信する第２情報配信装置と、を備え、前記携帯情報端末は、ユーザが配信を希望する情報の種類を示す配信情報種類データを記憶保持する希望配信情報記憶部と、端末側近距離無線通信部と、を備え、前記第１情報配信装置は、前記端末側近距離無線通信部との間で近距離無線通信を行うことが可能な第１配信装置側近距離無線通信部と、前記携帯情報端末に対して配信可能な比較的小容量の配信情報を記憶保持する第１配信情報記憶部と、を備え、前記第２情報配信装置は、前記端末側近距離無線通信部との間で近距離無線通信を行うことが可能な第２配信装置側近距離無線通信部と、前記携帯情報端末に対して配信可能な比較的大容量の配信情報を記憶保持する第２配信情報記憶部と、を備え、前記第１配信装置側近距離無線通信部は、前記希望配信情報記憶部に記憶されている配信情報種類データを近距離無線通信により前記端末側近距離無線通信部から読み取り、該読み取った配信情報種類データと合致する種類の比較的小容量の配信情報を前記第１配信情報記憶部から抽出し、該抽出した比較的小容量の配信情報を近距離無線通信により前記端末側近距離無線通信部に書き込み、前記第２配信装置側近距離無線通信部は、前記希望配信情報記憶部に記憶されている配信情報種類データを近距離無線通信により前記端末側近距離無線通信部から読み取り、該読み取った配信情報種類データと合致する種類の比較的大容量の配信情報を前記第２配信情報記憶部から抽出し、該抽出した比較的大容量の配信情報を近距離無線通信により前記端末側近距離無線通信部に書き込むことを特徴としている。
【００１８】
また、本発明の情報配信方法は、情報配信装置から携帯情報端末に対して情報を配信する情報配信方法において、前記情報配信装置が、前記携帯情報端末のユーザが配信を希望する情報の種類を示す配信情報種類データを、近距離無線通信により前記携帯情報端末から読み取る第１の過程と、前記情報配信装置が、前記第１の過程にて読み取った配信情報種類データと合致する種類の配信情報を前記携帯情報端末に対して配信する第２の過程と、を備えることを特徴としている。
【発明の効果】
【００１９】
本発明によれば、ユーザが希望する種類の情報を近距離無線通信によって情報配信装置からユーザの携帯情報端末に配信することが可能となる。
【発明を実施するための最良の形態】
【００２０】
以下、図面を参照して、本発明に係る実施形態について説明する。
【００２１】
〔第１の実施形態〕
図１は第１の実施形態に係る情報配信システム１００の全体構成を示す図である。
【００２２】
図１に示すように、情報配信システム１００は、携帯情報端末としての携帯電話機１と、携帯電話機１に対し配信情報及び詳細情報を配信する情報配信装置としての自動改札機２と、各種の管理を行う管理装置としての管理サーバ４と、を備えている。
【００２３】
管理サーバ４には、該管理サーバ４と自動改札機２とを用いて携帯電話機１に対して情報配信を行う情報配信者が、予め、配信情報を蓄積している。
【００２４】
また、管理サーバ４は、ネットワーク３を介して、随時に配信情報及び詳細情報を自動改札機２に送信する。
【００２５】
自動改札機２は、管理サーバ４から送信される配信情報及び詳細情報を記憶保持し、携帯電話機１への配信に備える。
【００２６】
自動改札機２は、例えば、鉄道などの駅の改札に設置されてゲートを構成するものである。
【００２７】
情報配信システム１００は、少なくとも１つの自動改札機２を備える。なお、複数の駅の改札にそれぞれ自動改札機２を備えても良いし、各駅毎に、複数の自動改札機２を備えても良い。
【００２８】
管理サーバ４及び自動改札機２に記憶される配信情報及び詳細情報は、どのような情報であっても良いが、例えば、電車などの車内に掲載されている広告の内容であったり、或いは、その広告と関連する情報であることが挙げられる。
【００２９】
携帯電話機１は、従来周知の一般的な携帯電話機の機能の他に、自動改札機２からの情報配信を受ける機能などを有している。
【００３０】
以下、携帯電話機１、自動改札機２及び管理サーバ４の構成をそれぞれ詳細に説明する。
【００３１】
図２は第１の実施形態に係る携帯電話機１の構成を示すブロック図である。
【００３２】
図２に示すように、携帯電話機１は、近距離無線通信部或いは端末側近距離無線通信部としての非接触型ＩＣ１０と、記憶部１１と、制御部１２と、操作部１３と、表示部１４と、無線部１５と、受話部１６と、送話部１７と、発音部１８と、振動部１９と、を備えている。
【００３３】
制御部１２は、携帯電話機１の動作を統括的に制御するものである。制御部１２は、例えば、ＣＰＵと、このＣＰＵの動作用プログラムなどを記憶したＲＯＭと、ＣＰＵの作業領域などとして機能するＲＡＭと、を備えている。
【００３４】
操作部１３は、携帯電話機１のユーザによる各種の操作を受け付け、その操作に応じた検出信号を制御部１２に対して出力する。制御部１２は、操作部１３から検出信号が入力されると、その検出信号に応じた動作を実行する。
【００３５】
表示部１４は、各種の表示動作を行う。無線部１５は、基地局との間で音声通信やその他の情報通信（電子メールの送受信、インターネット通信など）を行う。受話部１６は、音声通信などの際に相手方の音声を発音するスピーカを備えている。送話部１７は、音声通信などの際にユーザ側の音声を収集するマイクを備えている。発音部１８は、着信音、アラーム音或いはその他の発音動作を行うスピーカを備えている。振動部１９は、バイブレーターと呼ばれるものであり、振動を発する。制御部１２は、表示部１４、無線部１５、受話部１６、発音部１８及び振動部１９の動作制御も行う。
【００３６】
また、非接触型ＩＣ１０は、自動改札機２との間で近距離無線通信を行うことが可能なＩＣチップからなる。
【００３７】
非接触型ＩＣ１０は、例えば、定期券としての機能を担う定期券機能部２０と、自動改札機２から配信される情報（配信情報及びその詳細情報）を取得する配信情報取得部２１と、を備えている。
【００３８】
このうち定期券機能部２０は、乗車区間を示す情報や有効期間を示す情報などを含む定期券情報を記憶している。
【００３９】
また、配信情報取得部２１は、希望配信情報記憶部２２と、要詳細項目記憶部としての詳細入手リスト記憶部２３と、配信情報記憶部２４と、を備えている。
【００４０】
このうち希望配信情報記憶部２２は、携帯電話機１のユーザが配信を希望する配信情報のジャンル（種類）を示す希望配信ジャンルデータ（配信情報種類データ）を記憶する。
【００４１】
また、詳細入手リスト記憶部２３は、携帯電話機１に配信された配信情報に含まれる個々の項目のうち、ユーザが詳細な情報の配信を希望する項目を特定するためのデータである要詳細項目データのリストを記憶する。
【００４２】
希望配信情報記憶部２２へ希望配信ジャンルデータを記憶する処理、並びに、詳細入手リスト記憶部２３へ要詳細項目データを記憶する処理は、それぞれ、例えば制御部１２が行う。
【００４３】
また、配信情報記憶部２４は、自動改札機２から配信される情報（配信情報及び詳細情報）を記憶する。
【００４４】
また、記憶部１１は、例えば、フラッシュメモリ或いはその他の不揮発性メモリからなる。
【００４５】
記憶部１１は、各種のアプリケーションプログラムを記憶するアプリケーションプログラム記憶部２５を備えている。
【００４６】
アプリケーションプログラム記憶部２５は、少なくとも、配信情報設定アプリケーションプログラム２８と、情報閲覧アプリケーションプログラム２９と、を記憶している。
【００４７】
これらアプリケーションプログラム２８，２９は、例えば、携帯電話機１の製造段階で記憶部１１に格納されるのであっても良いし、或いは、ユーザが所定のサーバから有償或いは無償でダウンロードすることにより記憶部１１に格納されているのであっても良い。或いは、アプリケーションプログラム２８，２９は、その他の方法で記憶部１１に格納されているのであっても良い。
【００４８】
配信情報設定アプリケーションプログラム２８は、ユーザが配信を希望する配信情報のジャンルを設定（登録）するためのプログラムである。
【００４９】
図５は配信情報設定アプリケーションプログラム２８の実行時の画面の一例を示す図である。
【００５０】
制御部１２は、操作部１３に対するユーザの操作に応じて配信情報設定アプリケーションプログラム２８を実行すると、例えば、図５に示すような配信情報設定画面Ｇ１を表示部１４に表示させる。
【００５１】
この際に、制御部１２は、図５に示すように、例えば、「経済」、「金融」、「スポーツ」、「社会」、「旅行」、「学校」、「保険」、「音楽」などのように、ユーザが選択可能な配信情報のジャンル（種類）を示す文字列を配信情報設定画面Ｇ１に表示させる。
【００５２】
また、制御部１２は、ユーザが配信を希望するジャンルを選択する操作を行うことができるように、例えば、図５に示すように、各ジャンルを示す文字列の横には、それぞれチェックボックスＣ１を表示させる。つまり、各ジャンルを示す文字列とそれぞれ対応するチェックボックスＣ１を表示させる。
【００５３】
そして、複数のチェックボックスＣ１の中から、ユーザが所望の配信情報のジャンルと対応するチェックボックスＣ１を選択及び決定する操作を行うことにより、そのジャンルを希望配信情報ジャンルとして設定（登録）できるようになっている。なお、図５に示すのは、例えば、「旅行」が選択された状態である。
【００５４】
ユーザが希望配信情報ジャンルを設定する操作を行うと、制御部１２は、設定された希望配信情報ジャンルを示す希望配信ジャンルデータを、非接触型ＩＣの配信情報取得部２１の希望配信情報記憶部２２に記憶させる。これにより、希望配信情報ジャンルが設定される。
【００５５】
ユーザが携帯電話機１を自動改札機２との間で近距離無線通信が可能な距離に近づけると、非接触型ＩＣ１０の配信情報取得部２１には、予めユーザが設定した希望配信情報ジャンルの配信情報が自動改札機２により書き込まれる（記憶される）。すなわち、非接触型ＩＣ１０の配信情報取得部２１は、配信情報を取得する。
【００５６】
非接触型ＩＣ１０の配信情報取得部２１は、自動改札機２から配信情報又は詳細情報を取得すると、その旨を制御部１２に通知する。
【００５７】
制御部１２は、配信情報又は詳細情報を取得した旨の通知を非接触型ＩＣ１０から受けると、その旨をユーザに報知する制御を行う。
【００５８】
情報（配信情報又は詳細情報）が配信された旨を報知する制御としては、例えば、表示部１４にその旨の表示を行わせる制御や、振動部１９を振動させる制御や、発音部１８に所定の発音動作を行わせる制御や、それらの２つ以上の制御を組み合わせて行うことが挙げられる。
【００５９】
情報閲覧アプリケーションプログラム２９は、携帯電話機１に配信された情報を閲覧するためのプログラムである。
【００６０】
自動改札機２から携帯電話機１に情報が配信された後では、情報閲覧アプリケーションプログラム２９を実行することにより、その情報を閲覧することが可能になっている。
【００６１】
図６は情報閲覧アプリケーションプログラム２９の実行時の画面の一例を示す図である。
【００６２】
制御部１２は、操作部１３に対するユーザの操作に応じて情報閲覧アプリケーションプログラム２９を実行すると、例えば、図６に示すような情報閲覧画面Ｇ２を表示部１４に表示させる。
【００６３】
この際に、制御部１２は、図６に示すように、配信された情報を示す文字列などを情報閲覧画面Ｇ２に表示させる。
【００６４】
これにより、ユーザは配信情報を閲覧できる。
【００６５】
また、制御部１２は、配信情報に含まれる個々の項目のうち、ユーザが詳細情報を要求する項目を選択操作できるように、例えば、図６に示すように、個々の項目の内容を示す文字列の横には、それぞれチェックボックスＣ２を表示させる。つまり、各項目の内容を示す文字列とそれぞれ対応するチェックボックスＣ２を表示させる。
【００６６】
更に、制御部１２は、詳細情報入手ボタンＢ１も情報閲覧画面Ｇ２に表示させる。
【００６７】
ユーザが、所望の項目と対応するチェックボックスＣ２を選択した状態で、詳細入手ボタンＢ１にカーソルを移動させて決定操作を行うことにより、その項目の情報を、詳細情報が必要な項目（要詳細項目）として設定（登録）できるようになっている。
【００６８】
ユーザが要詳細項目を設定する操作を行うと、制御部１２は、設定された要詳細項目を特定するためのデータである要詳細項目データを、非接触型ＩＣの詳細入手リスト記憶部２３に記憶させる。これにより、要詳細項目が設定される。
【００６９】
なお、配信情報のデータ形式を、一般的な携帯電話機用ブラウザを用いて表示部１４に表示できるような形式にすることにより、制御部１２は、携帯電話機用ブラウザを用いて表示部１４に情報閲覧画面Ｇ２を表示させることができる。
【００７０】
図７は詳細情報が携帯電話機１に配信された後で情報閲覧アプリケーションプログラム２９を実行した場合の画面の一例を示す図である。
【００７１】
詳細情報が配信された後で、詳細情報を表示させる操作がなされると、図７に示すように、制御部１２は、図６に示す配信情報に含まれる個々の項目の情報よりも詳細な情報、すなわち、例えば、文字数の多い文字列からなる情報を情報閲覧画面Ｇ２に表示させる。
【００７２】
これにより、ユーザは詳細情報を閲覧できる。
【００７３】
図３は自動改札機２の構成を示すブロック図である。
【００７４】
図３に示すように、自動改札機２は、近距離無線通信部或いは配信装置側近距離無線通信部としてのＩＣリーダ／ライタ３０と、制御部３２と、通信部３３と、開閉機構部３４と、を備えている。
【００７５】
制御部３２は、ＩＣリーダ／ライタ３０、通信部３３及び開閉機構部３４の制御を行う。
【００７６】
通信部３３は、ネットワーク３を介して管理サーバ４との間で通信を行う。
【００７７】
ＩＣリーダ／ライタ３０は、携帯電話機１の非接触型ＩＣ１０からの情報の読み取り動作や、該非接触型ＩＣ１０への情報の書き込み動作を行う。
【００７８】
ＩＣリーダ／ライタ３０は、携帯電話機１のユーザが改札を通る際に、該携帯電話機１を近づけやすい位置であって、例えば、ユーザから見て開閉機構部３４よりも手前側の位置に配置されている。
【００７９】
ＩＣリーダ／ライタ３０は、定期券読み取り部４０と、配信情報記憶部４１と、希望配信情報読み取り部４２と、情報配信部４３と、詳細入手リスト読み取り部４４と、詳細情報配信部４５と、を備えている。
【００８０】
定期券読み取り部４０は、携帯電話機１の非接触型ＩＣ１０がＩＣリーダ／ライタ３０との間で近距離無線通信が可能な距離に近づくと、非接触ＩＣ１０の定期券機能部２０から定期券情報を読み取る。
【００８１】
定期券読み取り部４０の読み取り結果に応じて、携帯電話機１のユーザの改札通過を許可するか否かを判定する処理は、ＩＣリーダ／ライタ３０が行っても良いし、制御部３２が行っても良い。
【００８２】
前者の場合、ＩＣリーダ／ライタ３０は、判定結果を制御部３２に通知し、制御部３２は、通知された判定結果に応じて開閉機構部３４の開閉動作を制御する。
【００８３】
後者の場合、ＩＣリーダ／ライタ３０は、定期券機能部２０から読み取った定期券情報を制御部３２に通知する。そして、制御部３２は、通知された定期券情報に応じて、改札通過を許可するか否かを判定し、その判定結果に応じて開閉機構部３４の開閉動作を制御する。
【００８４】
開閉機構部３４は、一般的な自動改札機に備えられているものであり、例えば一対の開閉部材と、これら開閉部材を開閉動作させるアクチュエータと、を有している。
【００８５】
開閉機構部３４のアクチュエータは、制御部３２の制御下で、開閉部材をユーザが改札を通過できないように閉じたり、ユーザが改札を通過できるように開いたりする。
【００８６】
配信情報記憶部４１は、管理サーバ４から送信された配信情報及び詳細情報を記憶する。
【００８７】
すなわち、管理サーバ４から自動改札機２に対して送信された配信情報又は詳細情報を通信部３３が受信すると、該通信部３３はその情報を制御部３２に対して出力し、制御部３２は通信部３３から入力される情報を配信情報記憶部４１に記憶させる。
【００８８】
希望配信情報読み取り部４２は、携帯電話機１がＩＣリーダ／ライタ３０との間で近距離無線通信が可能な距離に近づくと、非接触ＩＣ１０の希望配信情報記憶部２２から希望配信ジャンルデータを読み取る。
【００８９】
そして、希望配信情報読み取り部４２は、読み取った希望配信ジャンルデータを情報配信部４３に出力する。
【００９０】
情報配信部４３は、希望配信情報読み取り部４２から入力される希望配信ジャンルデータと合致する配信情報が配信情報記憶部４１に記憶されている場合に、その配信情報を携帯電話機１の非接触型ＩＣ１０の配信情報記憶部２４に記憶させる。
【００９１】
なお、各配信情報には、各々のジャンルを示すジャンルデータが含まれており、情報配信部４３は、そのジャンルデータと希望配信ジャンルデータとを照合することにより、希望配信ジャンルデータと合致する配信情報を配信情報記憶部４１から抽出する。
【００９２】
また、詳細入手リスト読取部４４は、携帯電話機１がＩＣリーダ／ライタ３０との間で近距離無線通信が可能な距離に近づくと、非接触ＩＣ１０の詳細入手リスト記憶部２３から要詳細項目データを読み取り、読み取った結果を詳細情報配信部４５に出力する。
【００９３】
詳細情報配信部４５は、詳細入手リスト読取部４４から入力される要詳細項目データと合致する詳細情報を配信情報記憶部４１から抽出し、その詳細情報を携帯電話機１の非接触型ＩＣ１０の配信情報記憶部２４に記憶させる。
【００９４】
ここで、各詳細情報にはそれぞれを特定するための項目データが含まれており、詳細情報配信部４５は、その項目データと要詳細項目データとを照合することにより、要詳細項目データと合致する詳細情報を配信情報記憶部４１から抽出する。
【００９５】
また、情報配信部４３及び詳細情報配信部４５は、携帯電話機１に対して情報を配信すると、どの情報を配信したかを制御部３２に対して通知する。
【００９６】
制御部３２は、情報配信部４３又は詳細情報配信部４５から、どの情報を配信したかが通知されると、該通知された情報を管理サーバ４に対して通知させる制御を通信部３３に対して行う。
【００９７】
通信部３３は、ネットワーク３（図１）を介して管理サーバ４との間で通信を行うことにより、管理サーバ４から配信情報を受信したり、どの情報を配信したかを管理サーバ４に通知したりする。
【００９８】
なお、ネットワーク３は、例えば、インターネット或いはその他の情報通信網である。
【００９９】
図４は管理サーバ４の構成を示すブロック図である。
【０１００】
図４に示すように、管理サーバ４は、通信部５０と、記憶部５１と、制御部５２と、を備えている。
【０１０１】
記憶部５１は、配信情報記憶部５５と、配信状況記憶部５６と、課金情報記憶部５７と、を備えている。
【０１０２】
配信情報記憶部５５は、配信情報及び詳細情報のデータを記憶する。
【０１０３】
配信情報及び詳細情報のデータは、管理サーバ４と自動改札機２とを用いて携帯電話機１に対して情報配信を行う情報配信者が、情報の配信を依頼する情報配信依頼者から予め収集し、配信情報記憶部５５に蓄積しておくものとする。
【０１０４】
なお、情報配信依頼者としては、例えば、企業やその他の団体、或いは個人などが挙げられる。
【０１０５】
また、制御部５２は、配信情報記憶部５５に記憶された配信情報及び詳細情報を自動改札機２に送信させる制御を、通信部５０に対して行う。
【０１０６】
通信部５０は、ネットワーク３（図１）を介して自動改札機２との間で通信を行うことにより、自動改札機２に対して情報を送信したり、どの情報を配信したかの通知を自動改札機２から受けたりする。
【０１０７】
すなわち、制御部５２が配信情報又は詳細情報を自動改札機２に送信させる制御を通信部５０に対して行うと、通信部５０は、配信情報又は詳細情報を自動改札機２に対して送信する。
【０１０８】
また、通信部５０は、どの情報（配信情報又は詳細情報）を配信したかの通知を自動改札機２から受けると、該通知を制御部５２に出力する。
【０１０９】
制御部５２は、どの情報を配信したかの通知が通信部５０から入力されると、記憶部５１の配信状況記憶部５６に記憶されている配信状況データを更新する。配信状況データとは、例えば、どの情報を携帯電話機１に対して何回配信したかを示すデータである。
【０１１０】
また、制御部５２は、配信状況データの更新に伴い、記憶部５１の課金情報記憶部５７に記憶されている課金情報も配信状況データに基づいて更新する。課金情報とは、情報配信というサービス提供の対価として、情報配信者から各情報配信依頼者に対してどれだけの課金を行うのかを示す情報である。
【０１１１】
このように、管理サーバ４は、配信する情報（配信情報及び詳細情報）の管理、それら情報の配信状況の管理、並びに、課金に関する情報の管理を行う。
【０１１２】
次に、動作を説明する。
【０１１３】
先ず、管理サーバ４から自動改札機２へと配信情報又は詳細情報を送信し、自動改札機２のＩＣリーダ／ライタ３０の配信情報記憶部４１に配信情報又は詳細情報を記憶する動作を説明する。
【０１１４】
管理サーバ４の制御部５２は、記憶部５１の配信情報記憶部５５に新たな配信情報又は詳細情報が記憶されるたびに、その情報を通信部５０から自動改札機２に送信させる。
【０１１５】
自動改札機２の通信部３３は、管理サーバ４からネットワーク３を介して新たな情報を受信すると、その情報を制御部３２に出力する。
【０１１６】
制御部３２は、通信部３３から情報を受けると、その情報をＩＣリーダ／ライタ３０の配信情報記憶部４１に記憶させる。
【０１１７】
なお、配信情報記憶部４１への情報の記憶は、単に、新たな情報を追加するだけであっても良いし、新たな情報により古い情報を書き換えるようにしても良い。
【０１１８】
こうして、自動改札機２のＩＣリーダ／ライタ３０の配信情報記憶部４１の記憶内容は随時に更新される。
【０１１９】
次に、携帯電話機１のユーザが配信を希望する情報のジャンルを設定するときの動作を説明する。
【０１２０】
先ず、ユーザが携帯電話機１の操作部１３に対して所定の操作を行うことにより、制御部１２は、配信情報設定アプリケーションプログラム２８を起動し、図５に示すような配信情報設定画面Ｇ１を表示部１４に表示させる。
【０１２１】
この状態で、ユーザが操作部１３に対し、所望のジャンルと対応するチェックボックスＣ１を選択及び決定する操作を行う。すると、制御部１２は、そのジャンルを示す希望配信ジャンルデータを、非接触型ＩＣの配信情報取得部２１の希望配信情報記憶部２２に記憶させる。
【０１２２】
こうして、ユーザが情報の配信を希望するジャンルが希望配信情報ジャンルとして設定される。
【０１２３】
次に、携帯電話機１のユーザが改札を通過するときの一連の動作を説明する。図８はその一連の動作の流れを示すシーケンス図であり、携帯電話機１、自動改札機２及び管理サーバ４の各々の動作を示す。
【０１２４】
なお、ユーザが要詳細項目を設定しているときと、その設定をしていないときとでは、図８の動作が若干異なるが、以下では、先に、要詳細項目の設定を行っていない状態での動作を説明する。
【０１２５】
先ず、ユーザが改札を通過するに際し、携帯電話機１を自動改札機２のＩＣリーダ／ライタ３０にかざし、該携帯電話機１をＩＣリーダ／ライタ３０と非接触型ＩＣ１０との間で近距離無線通信が可能な距離に近づける（ステップＳ１）。
【０１２６】
すると、ＩＣリーダ／ライタ３０の定期券読み取り部４０は、携帯電話機１の非接触ＩＣ１０の定期券機能部２０から定期券情報を読み取る。また、ＩＣリーダ／ライタ３０の希望配信情報読み取り部４２は、携帯電話機１の非接触ＩＣ１０の希望配信情報記憶部２２から希望配信ジャンルデータを読み取る。また、ＩＣリーダ／ライタ３０の詳細入手リスト読取部４４は、携帯電話機１の非接触ＩＣ１０の詳細入手リスト記憶部２３の記憶内容を読み取る。ただし、ここでは、未だ要詳細項目の設定がなされていないので、詳細入手リスト読取部４４は、要詳細項目データを読み取ることはできない（ステップＳ２）。
【０１２７】
次に、希望配信情報読み取り部４２は、読み取った希望配信ジャンルデータを情報配信部４３に出力する。
【０１２８】
情報配信部４３は、希望配信情報読み取り部４２から入力される希望配信ジャンルデータと合致する配信情報を配信情報記憶部４１から検索する。すなわち、例えば、ユーザが「旅行」に関する配信情報を希望している場合には、旅行に関する配信情報を配信情報記憶部４１から検索する。合致する配信情報を検索できた場合には、情報配信部４３は、その配信情報を携帯電話機１の非接触型ＩＣ１０の配信情報記憶部２４に記憶させる。
【０１２９】
すなわち、情報配信部４３は、希望配信ジャンルデータと合致する配信情報を近距離無線通信により非接触型ＩＣ１０に送信し（ステップＳ３）、非接触型ＩＣ１０の配信情報記憶部２４に記憶させる（ステップＳ４）。
【０１３０】
また、非接触型ＩＣ１０の配信情報取得部２１は、自動改札機２から配信情報が送信されると、その旨を制御部１２に通知する。
【０１３１】
制御部１２は、配信情報を取得した旨の通知を非接触型ＩＣ１０から受けると、その旨をユーザに報知する制御を行う。すなわち、具体的には、例えば、制御部１２は、配信情報を取得した旨を示す表示を表示部１４に行わせたり、振動部１９を振動させたり、発音部１８に所定の発音動作を行わせたり、或いは、それらの２つ以上の制御を組み合わせて行う（ステップＳ５）。
【０１３２】
一方、自動改札機２は、上記のステップＳ３に引き続き、ステップＳ６の動作を行う。
【０１３３】
ステップＳ６では、先のステップＳ３にて、どの情報を携帯電話機１に配信したかを管理サーバ４に対して通知する。すなわち、先ず、ＩＣリーダ／ライタ３０の情報配信部４３は、どの情報を携帯電話機１に配信したかを制御部３２に通知する。すると、制御部３２は、情報配信部４３から通知された情報を管理サーバ４に対して通知させる制御を通信部３３に対して行う。この制御により、通信部３３は、どの情報を携帯電話機１に配信したかを管理サーバ４に対して通知する。
【０１３４】
次に、管理サーバ４は、どの情報を携帯電話機１に配信したかの通知を自動改札機２から受けると、配信状況記憶部５６に記憶されている配信状況データを更新する（ステップＳ８）一方で、課金情報記憶部５７に記憶されている課金情報を更新する（ステップＳ９）。
【０１３５】
課金情報には、例えば、どの情報配信依頼者の配信情報を何回配信したかを示す情報が含まれており、その情報に基づき、情報配信者は、配信数に応じた従量課金を各情報配信依頼者に対して行うことができる。
【０１３６】
また、自動改札機２の制御部３２は、例えば先のステップＳ６に引き続き、改札の開閉制御、すなわち、開閉機構部３４の動作制御を行う（ステップＳ７）。
【０１３７】
すなわち、先のステップＳ２にて定期券読み取り部４０が読み取った定期券情報の乗車区間や有効期間に基づき、改札通過を許可すると判定された場合には、制御部３２は、ユーザが改札を通過できるように開閉機構部３４を制御する。逆に、改札通過を許可しないと判定された場合には、制御部３２は、ユーザが改札を通過できないように開閉機構部３４を制御する。
【０１３８】
なお、図８には、ステップＳ６の後でステップＳ７を行う例を示しているが、ステップＳ６とステップＳ７とは並行して行っても良いし、ステップＳ７の後でステップＳ６を行っても良い。
【０１３９】
また、上記のステップＳ５での報知により、ユーザは、情報が配信された旨を認識できるので、情報閲覧アプリケーションプログラム２９を起動させることにより図６に示すような情報閲覧画面Ｇ２を表示部１４に表示させ、配信情報を閲覧することができる。
【０１４０】
また、情報閲覧画面Ｇ２において、ユーザが、所望の配信情報と対応するチェックボックスＣ２を選択した状態で、詳細入手ボタンＢ１にカーソルを移動させて決定操作を行うことにより、その配信情報を要詳細項目として設定できる。
【０１４１】
次に、要詳細項目を設定している状態で、携帯電話機１のユーザが改札を通過するときの一連の動作を説明する。
【０１４２】
先ず、ユーザが携帯電話機１を自動改札機２のＩＣリーダ／ライタ３０にかざし、該携帯電話機１をＩＣリーダ／ライタ３０と非接触型ＩＣ１０との間で近距離無線通信が可能な距離に近づける（ステップＳ１）。
【０１４３】
すると、ＩＣリーダ／ライタ３０の定期券読み取り部４０は、携帯電話機１の非接触ＩＣ１０の定期券機能部２０から定期券情報を読み取る。また、ＩＣリーダ／ライタ３０の希望配信情報読み取り部４２は、携帯電話機１の非接触ＩＣ１０の希望配信情報記憶部２２から希望配信ジャンルデータを読み取る。また、ＩＣリーダ／ライタ３０の詳細入手リスト読取部４４は、携帯電話機１の非接触ＩＣ１０の詳細入手リスト記憶部２３から要詳細項目データを読み取る（ステップＳ２）。
【０１４４】
次に、希望配信情報読み取り部４２は、読み取った希望配信ジャンルデータを情報配信部４３に出力する。また、詳細入手リスト読取部４４は、読み取った要詳細項目データを詳細情報配信部４５に出力する。
【０１４５】
情報配信部４３は、希望配信情報読み取り部４２から入力される希望配信ジャンルデータと合致する配信情報を配信情報記憶部４１から検索できた場合には、その配信情報を携帯電話機１の非接触型ＩＣ１０の配信情報記憶部２４に記憶させる。
【０１４６】
詳細情報配信部４５は、詳細入手リスト読取部４４から入力される要詳細項目データと合致する詳細情報を配信情報記憶部４１から検索できた場合には、その配信情報を携帯電話機１の非接触型ＩＣ１０の配信情報記憶部２４に記憶させる。
【０１４７】
すなわち、情報配信部４３は希望配信ジャンルデータと合致する配信情報を、詳細情報配信部４５は要詳細項目データと合致する詳細情報を、それぞれ近距離無線通信により非接触型ＩＣ１０に送信し（ステップＳ３）、非接触型ＩＣ１０の配信情報記憶部２４に記憶させる（ステップＳ４）。
【０１４８】
また、非接触型ＩＣ１０の配信情報取得部２１は、自動改札機２から配信情報或いは詳細情報が送信されると、その旨を制御部１２に通知する。
【０１４９】
制御部１２は、配信情報或いは詳細情報を取得した旨の通知を非接触型ＩＣ１０から受けると、その旨をユーザに報知する制御を行う（ステップＳ５）。
【０１５０】
一方、自動改札機２は、上記のステップＳ３に引き続き、ステップＳ６の動作を行う。
【０１５１】
ステップＳ６では、先のステップＳ３にて、どの情報を携帯電話機１に配信したかを管理サーバ４に対して通知する。すなわち、先ず、ＩＣリーダ／ライタ３０の情報配信部４３及び詳細情報配信部４５は、どの情報を携帯電話機１に配信したかを制御部３２に通知する。すると、制御部３２は、情報配信部４３及び詳細情報配信部４５から通知された情報を管理サーバ４に対して通知させる制御を通信部３３に対して行う。この制御により、通信部３３は、どの情報を携帯電話機１に配信したかを管理サーバ４に対して通知する。
【０１５２】
次に、管理サーバ４は、どの情報を携帯電話機１に配信したかの通知を自動改札機２から受けると、配信状況記憶部５６に記憶されている配信状況データを更新する（ステップＳ８）一方で、課金情報記憶部５７に記憶されている課金情報を更新する（ステップＳ９）。
【０１５３】
また、自動改札機２の制御部３２は、例えば先のステップＳ６に引き続き、改札の開閉制御、すなわち、開閉機構部３４の動作制御を行う（ステップＳ７）。
【０１５４】
また、ユーザは、情報閲覧アプリケーションプログラム２９を起動させることにより、図６に示すような情報閲覧画面Ｇ２、或いは、図７に示すような情報閲覧画面Ｇ２を表示部１４に表示させて、配信情報或いは詳細情報を閲覧することができる。
【０１５５】
なお、複数の配信情報が配信されているとき、或いは、複数の詳細情報が配信されているとき、或いは、配信情報と詳細情報とが配信されているときには、どの情報を閲覧するかを、操作部１３に対するユーザの操作により選択できるようになっている。そして、制御部１２は、ユーザにより選択された情報を情報閲覧画面Ｇ２に表示させる。
【０１５６】
以上のような第１の実施形態によれば、携帯電話機１の希望配信情報記憶部２２には、予め、ユーザが配信を希望する配信情報のジャンルを示す希望配信ジャンルデータを記憶しておき、ユーザが改札通過時に携帯電話機１を自動改札機２にかざすことにより、自動改札機２のＩＣリーダ／ライタ３０が、携帯電話機１の希望配信情報記憶部２２に記憶されている希望配信ジャンルデータを近距離無線通信により読み取り、該読み取った希望配信ジャンルデータと合致する種類の配信情報を配信情報記憶部７１から抽出し、該抽出した配信情報を近距離無線通信により非接触型ＩＣ１０の配信情報記憶部２４に書き込むので、携帯電話機１のユーザが希望する情報を近距離無線通信によって自動改札機２から携帯情報端末１に配信することができる。
【０１５７】
従来であれば、電車などに掲示されている広告をユーザが見ようとしても、ユーザの視力が悪かったり、掲示場所がユーザの居場所から離れていたような場合に、広告を見づらいという問題があった。これに対し、本実施形態によれば、そのような広告の内容であっても、ユーザが希望配信ジャンルとして設定しておけば、改札通過時に携帯電話機１に配信させることができる。そして、ユーザは、携帯情報端末装置１の表示部１４に情報閲覧画面Ｇ２を表示させて、配信された希望の情報を閲覧することができる。また、情報配信依頼者及び情報配信者にとっても、より多くの興味ある人々に適切に情報配信を行うことができるというメリットがある。
【０１５８】
なお、ユーザが希望配信情報ジャンルの設定を行うシチュエーションの一例としては、例えば、電車などの車内において十分に閲覧することができない情報があった場合などが挙げられる。この場合、ユーザが改札を出る前に希望配信情報ジャンルの設定を行っておけば、電車などを降りて改札を出る際に、希望の情報の配信を受けることができる。
【０１５９】
或いは、電車に乗る前に、予め、ユーザが希望配信情報ジャンルの設定を行っておけば、乗車のための改札通過時に、希望の情報の配信を受けることができるので、電車の待ち時間や電車内において、通常は電車内に貼り出されている広告など閲覧することができる。
【０１６０】
また、携帯電話機１における情報（配信情報及び詳細情報）の取得は、非接触型ＩＣ３０が行うので、通信費が不要である。よって、携帯電話機１のユーザは、無料で情報の配信を受けることができる。
【０１６１】
また、管理サーバ４にて、配信状況の管理を行うので、情報配信者は、どの情報がどれだけ配信されたかを認識することができる。よって、情報の配信量に応じた課金を情報配信依頼者に対して行うことができる。
【０１６２】
なお、本実施形態の構成は、配信情報が例えばテキストデータであるなど、（画像などに比べて）情報量が少ないデータの場合に好適に用いることができる。ただし、本実施形態の場合にも、画像データや動画データについても、配信情報或いは詳細情報として配信することも可能である。また、配信情報は、楽曲データなどの音声データであっても良い。
【０１６３】
また、上記の第１の実施形態では、ユーザの操作が行われたときに情報閲覧アプリケーションプログラム２９が起動する例を説明したが、この例に限らない。例えば、携帯電話機１に情報（配信情報又は詳細情報）が配信されると自動的に情報閲覧アプリケーションプログラム２９が起動するようにしても良い。すなわち、例えば、ステップＳ４に引き続いて、制御部１２が自動的に情報閲覧アプリケーションプログラム２９を起動するようにしても良い。
【０１６４】
〔第２の実施形態〕
上記の第１の実施形態では、携帯電話機１が配信情報を自動改札機２からのみ取得する例を説明した。
【０１６５】
しかし、携帯電話機１のユーザが改札を通る際に非接触型ＩＣ１０とＩＣリーダ／ライタ３０との間で近距離無線通信が可能な時間はほんのわずかである。このため、十分な量の情報を自動改札機２から携帯電話機１に配信することができない場合がある。
【０１６６】
そこで、第２の実施形態では、自動改札機２からは小容量の情報のみを配信し、大容量の情報がある場合には自動改札機２とは別の情報配信装置から配信する例を説明する。
【０１６７】
図９は第２の実施形態に係る情報配信システム２００の全体構成を示す図である。
【０１６８】
第２の実施形態に係る情報配信システム２００は、以下に説明する点でのみ上記の第１の実施形態に係る情報配信システム１００と相違し、その他の点では情報配信システム１００と同様である。
【０１６９】
図９に示すように、情報配信システム２００は、携帯情報端末として携帯電話機１と、情報配信装置或いは第１情報配信装置としての自動改札機２と、管理装置としての管理サーバ４の他に、情報配信装置或いは第２情報配信装置としての大容量情報配信装置５を備えている。
【０１７０】
なお、携帯電話機１、自動改札機２及び管理サーバ４は、それぞれ、上記の第１の実施形態におけるのと同様の構成を備えている。すなわち、携帯電話機１は図２に示す構成を、自動改札機２は図３に示す構成を、管理サーバ４は図４に示す構成を、それぞれ備えている。
【０１７１】
ただし、本実施形態の場合、携帯電話機１の非接触型ＩＣ１０は、自動改札機２だけでなく、大容量情報配信装置５との間でも近距離無線通信を行う。また、携帯電話機１の配信情報取得部２１は、自動改札機２から配信される情報だけでなく、大容量情報配信装置５から配信される情報も取得する。
【０１７２】
つまり、ユーザが携帯電話機１を大容量情報配信装置５との間で近距離無線通信が可能な距離に近づけると、非接触型ＩＣ１０の配信情報取得部２１には、予めユーザが設定した希望配信情報ジャンルの配信情報が大容量情報配信装置５により書き込まれる（記憶される）。
【０１７３】
また、非接触型ＩＣ１０の配信情報取得部２１は、大容量情報配信装置５から配信情報を取得すると、その旨を制御部１２に通知する。制御部１２は、配信情報を取得した旨の通知を非接触型ＩＣ１０から受けると、その旨をユーザに報知する制御を行う。
【０１７４】
自動改札機２又は大容量情報配信装置５から携帯電話機１に情報が配信された後では、情報閲覧アプリケーションプログラム２９を実行することにより、その情報を閲覧することが可能である。
【０１７５】
また、本実施形態の場合、管理サーバ４は、ネットワーク３を介して、自動改札機２及び大容量情報配信装置５に対して、それぞれ随時に配信情報を送信する。
【０１７６】
ここで、配信情報としては、情報量が小さく、自動改札機２から携帯電話機１へと好適に配信できるような情報と、情報量が大きく、自動改札機２から携帯電話機１へと配信することが困難な情報とがある。
【０１７７】
そこで、本実施形態では、所定の情報量（データ量）未満の情報量しか有していない配信情報については、自動改札機２から携帯電話機１に配信する。また、所定の情報量以上の情報量を有する配信情報については、大容量情報配信装置５から携帯電話機１に配信する。
【０１７８】
このため、管理サーバ４は、自動改札機２に対しては、所定の情報量未満の情報量しか有していない配信情報を送信する一方で、大容量情報配信装置５に対しては、所定の情報量以上の情報量を有する配信情報を送信する。
【０１７９】
自動改札機２及び大容量情報配信装置５は、管理サーバ４から送信される配信情報を記憶保持し、それぞれ携帯電話機１への配信に備える。
【０１８０】
ここで、所定の情報量以上の情報量を有する配信情報としては、例えば、画像データを含む配信情報や、動画データを含む配信情報や、文字数の多いテキストデータからなる配信情報が挙げられる。
【０１８１】
また、所定の情報量未満の情報量しか有していない配信情報としては、例えば、少ない文字数のテキストデータからなる配信情報が挙げられる。
【０１８２】
また、配信情報には、これと関連する別の配信情報が存在する場合がある。具体的な一例としては、例えば、ある旅行商品の説明書きの部分を構成するテキストデータからなる配信情報と関連する情報としては、その旅行商品のイメージを表す画像データからなる配信情報などが挙げられる。
【０１８３】
このような場合も、互いに関連する配信情報のうち、所定の情報量未満の情報量しか有していない配信情報（例えば、ある旅行商品の説明書きの部分を構成するテキストデータからなる配信情報）については、自動改札機２から携帯電話機１に配信する。
【０１８４】
一方で、所定の情報量以上の情報量を有する配信情報（例えば、ある旅行商品のイメージを表す画像データからなる配信情報）については、大容量情報配信装置５から携帯電話機１に配信する。
【０１８５】
ここで、互いに関連する配信情報のうち、自動改札機２から配信される配信情報には、この情報と対応する配信情報であって大容量情報配信装置５から配信される配信情報が存在する旨を示す情報（以下、関連情報）が含まれている。
【０１８６】
これにより、自動改札機２は、関連情報が含まれている配信情報については、この配信情報と対応する大容量の配信情報が存在する旨を認識できるとともに、その旨を携帯電話機１に対して通知することができる。
【０１８７】
大容量情報配信装置５は、例えば、鉄道における改札の近傍に配置されている。改札の近傍に配置する場合、改札の内側に配置しても良いし、改札の外側に配置しても良いし、内側及び外側の両方に配置しても良い。
【０１８８】
図１０は大容量情報配信装置５の構成を示すブロック図である。
【０１８９】
図１０に示すように、大容量情報配信装置５は、近距離無線通信部、配信装置側近距離無線通信部或いは第２配信装置側近距離無線通信部としてのＩＣリーダ／ライタ６０と、制御部６２と、通信部６３と、を備えている。
【０１９０】
制御部６２は、ＩＣリーダ／ライタ６０及び通信部６３の制御を行う。
【０１９１】
通信部６３は、ネットワーク３を介して管理サーバ４との間で通信を行う。
【０１９２】
ＩＣリーダ／ライタ６０は、携帯電話機１の非接触型ＩＣ１０からの情報の読み取り動作や、該非接触型ＩＣ１０への情報の書き込み動作を行う。
【０１９３】
ＩＣリーダ／ライタ６０は、配信情報記憶部７１と、希望配信情報読み取り部７２と、情報配信部７３と、詳細入手リスト読取部７４と、詳細情報配信部７５と、を備えている。
【０１９４】
配信情報記憶部７１は、自動改札機２の配信情報記憶部４１と同様のものであり、管理サーバ４から送信された配信情報（詳細情報を含む）を記憶する。
【０１９５】
すなわち、管理サーバ４から大容量情報配信装置５に対して送信された配信情報を通信部６３が受信すると、該通信部６３はその配信情報を制御部６２に対して出力し、制御部６２は通信部６３から入力される配信情報を配信情報記憶部７１に記憶させる。
【０１９６】
希望配信情報読み取り部７２は、自動改札機２の希望配信情報読み取り部４２と同様のものである。
【０１９７】
すなわち、希望配信情報読み取り部７２は、携帯電話機１がＩＣリーダ／ライタ６０との間で近距離無線通信が可能な距離に近づくと、非接触ＩＣ１０の希望配信情報記憶部２２から希望配信ジャンルデータを読み取る。
【０１９８】
そして、希望配信情報読み取り部７２は、読み取った希望配信ジャンルデータを情報配信部７３に出力する。
【０１９９】
情報配信部７３は、自動改札機２の情報配信部４３と同様のものである。
【０２００】
すなわち、情報配信部７３は、希望配信情報読み取り部７２から入力される希望配信ジャンルデータと合致する配信情報が配信情報記憶部７１に記憶されている場合に、その配信情報を携帯電話機１の非接触型ＩＣ１０の配信情報記憶部２４に記憶させる。
【０２０１】
また、詳細入手リスト読取部７４は、自動改札機２の詳細入手リスト読取部４４と同様のものである。
【０２０２】
すなわち、詳細入手リスト読取部７４は、携帯電話機１がＩＣリーダ／ライタ３０との間で近距離無線通信が可能な距離に近づくと、非接触ＩＣ１０の詳細入手リスト記憶部２３から要詳細項目データを読み取り、読み取った結果を詳細情報配信部７５に出力する。
【０２０３】
詳細情報配信部７５は、自動改札機２の詳細情報配信部７５と同様のものである。
【０２０４】
すなわち、詳細情報配信部７５は、詳細入手リスト読取部７４から入力される要詳細項目データと合致する詳細情報を配信情報記憶部７１から抽出し、その詳細情報を携帯電話機１の非接触型ＩＣ１０の配信情報記憶部２４に記憶させる。
【０２０５】
また、情報配信部７３及び詳細情報配信部７５は、携帯電話機１に対して情報を配信すると、どの情報を配信したかを制御部６２に対して通知する。
【０２０６】
制御部６２は、情報配信部７３又は詳細情報配信部７５から、どの情報を配信したかが通知されると、該通知された情報を管理サーバ４に対して通知させる制御を通信部６３に対して行う。
【０２０７】
通信部６３は、ネットワーク３（図９）を介して管理サーバ４との間で通信を行うことにより、管理サーバ４から配信情報を受信したり、どの情報を配信したかを管理サーバ４に通知したりする。
【０２０８】
また、本実施形態の場合、管理サーバ４の通信部５０は、ネットワーク３を介して大容量情報配信装置５との間で通信を行うことにより、大容量情報配信装置５に対して情報を送信したり、どの情報を配信したかの通知を大容量情報配信装置５から受けたりする。
【０２０９】
すなわち、制御部５２が配信情報を大容量情報配信装置５に送信させる制御を通信部５０に対して行うと、通信部５０は、配信情報を大容量情報配信装置５に対して送信する。
【０２１０】
通信部５０は、どの情報を配信したかの通知を大容量情報配信装置５から受けると、該通知を制御部５２に出力する。この通知を受けると、制御部５２は、配信状況記憶部５６に記憶されている配信状況データと、課金情報記憶部５７に記憶されている課金情報とを更新する。
【０２１１】
次に、動作を説明する。
【０２１２】
先ず、管理サーバ４から自動改札機２及び大容量情報配信装置５へと配信情報を送信し、自動改札機２の配信情報記憶部４１及び大容量情報配信装置５の配信情報記憶部７１にそれぞれ配信情報を記憶する動作を説明する。
【０２１３】
管理サーバ４の制御部５２は、記憶部５１の配信情報記憶部５５に新たな配信情報（詳細情報を含む）が記憶されるたびに、その配信情報を情報量の大きさによって分類する。
【０２１４】
すなわち、制御部５２は、所定の情報量（データ量）を基準として、それ以上の情報量の配信情報については通信部５０から大容量情報配信装置５に送信させる。また、制御部５２は、所定の情報量未満の情報量の配信情報については、通信部５０から自動改札機２に送信させる。
【０２１５】
自動改札機２の通信部３３は、管理サーバ４からネットワーク３を介して新たな配信情報を受信すると、その配信情報を制御部３２に出力する。制御部３２は、通信部３３から配信情報を受けると、その配信情報をＩＣリーダ／ライタ３０の配信情報記憶部４１に記憶させる。こうして、自動改札機２の配信情報記憶部４１には、所定の情報量未満の情報量の配信情報（小容量の配信情報）が記憶される。
【０２１６】
同様に、大容量情報配信装置５の通信部６３は、管理サーバ４からネットワーク３を介して新たな配信情報を受信すると、その配信情報を制御部６２に出力する。制御部６２は、通信部６３から配信情報を受けると、その配信情報をＩＣリーダ／ライタ６０の配信情報記憶部７１に記憶させる。こうして、大容量情報配信装置５の配信情報記憶部７１には、所定の情報量以上の情報量の配信情報（大容量の配信情報）が記憶される。
【０２１７】
なお、配信情報記憶部４１及び配信情報記憶部７１への配信情報の記憶は、単に、新たな配信情報を追加するだけであっても良いし、新たな配信情報により古い配信情報を書き換えるようにしても良い。
【０２１８】
このように、自動改札機２の配信情報記憶部４１及び大容量情報配信装置５の配信情報記憶部７１の記憶内容は随時に更新される。
【０２１９】
携帯電話機１のユーザが配信を希望する情報のジャンルを設定するときの動作は、上記の第１の実施形態と同様である。
【０２２０】
次に、携帯電話機１のユーザが改札を通過するときの一連の動作を説明する。図１３はその一連の動作の流れを示すシーケンス図であり、携帯電話機１、自動改札機２、大容量情報配信装置５及び管理サーバ４の各々の動作を示す。
【０２２１】
先ず、ユーザが改札を通過するに際し、携帯電話機１を自動改札機２のＩＣリーダ／ライタ３０にかざし、該携帯電話機１をＩＣリーダ／ライタ３０と非接触型ＩＣ１０との間で近距離無線通信が可能な距離に近づける（ステップＳ１１）。
【０２２２】
すると、ＩＣリーダ／ライタ３０の定期券読み取り部４０は、携帯電話機１の非接触ＩＣ１０の定期券機能部２０から定期券情報を読み取る。また、ＩＣリーダ／ライタ３０の希望配信情報読み取り部４２は、携帯電話機１の非接触ＩＣ１０の希望配信情報記憶部２２から希望配信ジャンルデータを読み取る。また、ＩＣリーダ／ライタ３０の詳細入手リスト読取部４４は、携帯電話機１の非接触ＩＣ１０の詳細入手リスト記憶部２３の記憶内容を読み取る。ここで、詳細入手リスト読取部４４は、既に要詳細項目が設定されていれば、要詳細項目データを読み取るが、未だ設定されていなければ、要詳細項目データを読み取ることはできない（ステップＳ１２）。
【０２２３】
次に、希望配信情報読み取り部４２は、読み取った希望配信ジャンルデータを情報配信部４３に出力する。また、詳細入手リスト読取部４４は、要詳細項目データを読み取った場合には、該要詳細項目データを詳細情報配信部４５に出力する。
【０２２４】
詳細情報配信部４５は、詳細入手リスト読取部４４から要詳細項目データが入力された場合、該要詳細項目データと合致する小容量の詳細情報を配信情報記憶部４１から検索し、検索した詳細情報を携帯電話機１の非接触型ＩＣ１０の配信情報記憶部２４に記憶させる。
【０２２５】
また、情報配信部４３は、希望配信情報読み取り部４２から入力される希望配信ジャンルデータと合致する小容量の配信情報を配信情報記憶部４１から検索する。すなわち、例えば、ユーザが「旅行」に関する配信情報を希望している場合には、旅行に関する配信情報を配信情報記憶部４１から検索する。合致する小容量の配信情報を検索できた場合には、情報配信部４３は、その配信情報に関連情報が含まれているか否かを判定する。
【０２２６】
そして、関連情報が含まれている場合には、情報配信部４３は、検索した小容量の配信情報を携帯電話機１の非接触型ＩＣ１０の配信情報記憶部２４に記憶させるとともに、該配信情報と対応する大容量の配信情報が存在する旨を非接触型ＩＣ１０の配信情報取得部２１に通知する。
【０２２７】
また、関連情報が含まれていない場合には、情報配信部４３は、検索した小容量の配信情報を携帯電話機１の非接触型ＩＣ１０の配信情報記憶部２４に記憶させる。
【０２２８】
すなわち、情報配信部４３は、希望配信ジャンルデータと合致する小容量の配信情報を近距離無線通信により非接触型ＩＣ１０に送信するとともに、その配信情報と対応する大容量の配信情報が存在する場合にはその旨を非接触型ＩＣ１０に通知する。一方で、詳細情報配信部４５は、要詳細項目データと合致する小容量の詳細情報を検索した場合には、その詳細情報を近距離無線通信により非接触型ＩＣ１０に送信する（ステップＳ１３）。
【０２２９】
これにより、情報配信部４３、詳細情報配信部４５は、配信情報、詳細情報を非接触型ＩＣ１０の配信情報記憶部２４に記憶させる（ステップＳ１４）。
【０２３０】
非接触型ＩＣ１０の配信情報取得部２１は、自動改札機２から配信情報或いは詳細情報が送信されると、その旨を制御部１２に通知する。
【０２３１】
制御部１２は、配信情報或いは詳細情報を取得した旨の通知を非接触型ＩＣ１０から受けると、上記の第１の実施形態と同様に、その旨をユーザに報知する制御を行う（ステップＳ１５）。
【０２３２】
また、非接触型ＩＣ１０の配信情報取得部２１は、配信された配信情報と対応する大容量の配信情報が存在する旨の通知を自動改札機２から受けた場合には、その通知を制御部１２に転送する。この通知の転送を受けた制御部１２は、今回自動改札機２から配信された配信情報と対応する大容量の配信情報が存在する旨をユーザに報知する制御を行う（ステップＳ１６）。
【０２３３】
ここで、ステップＳ１６で行う報知動作としては、ステップＳ１５での報知動作と同様に、例えば、表示部１４で表示を行わせる制御や、振動部１９を振動させる動作や、発音部１８で所定の発音動作を行う動作や、それらの２つ以上の動作を組み合わせて行うことが挙げられる。
【０２３４】
ただし、ステップＳ１６での報知動作は、ステップＳ１５で行う報知動作とは異なる報知動作とすることが好ましい。
【０２３５】
ユーザは、ステップＳ１５では、情報が配信されたことを認識でき、続くステップＳ１６では、配信された情報と対応する大容量の配信情報が存在することを認識できる。
【０２３６】
一方、自動改札機２は、上記のステップＳ１３に引き続き、ステップＳ１８の動作を行う。
【０２３７】
ステップＳ１８では、先のステップＳ１３にて、どの情報を携帯電話機１に配信したかを管理サーバ４に対して通知する。ステップＳ１８の動作は、上記の第１の実施形態におけるステップＳ６の動作と同様である。
【０２３８】
管理サーバ４は、どの情報を携帯電話機１に配信したかの通知を自動改札機２から受けると、配信状況記憶部５６に記憶されている配信状況データを更新する（ステップＳ２５）一方で、課金情報記憶部５７に記憶されている課金情報を更新する（ステップＳ２６）。ステップＳ２５、Ｓ２６の動作は、それぞれ、上記の第１の実施形態におけるステップＳ８、Ｓ９の動作と同様である。
【０２３９】
また、自動改札機２の制御部３２は、例えば先のステップＳ１８に引き続き、改札の開閉制御、すなわち、開閉機構部３４の動作制御を行う（ステップＳ１９）。ステップＳ１９の動作は、上記の第１の実施形態におけるステップＳ７の動作と同様である。
【０２４０】
なお、図１３には、ステップＳ１８の後でステップＳ１９を行う例を示しているが、ステップＳ１８とステップＳ１９とは並行して行っても良いし、ステップＳ１９の後でステップＳ１８を行っても良い。
【０２４１】
また、上記のステップＳ１６での報知により、ユーザは、今回配信された情報と対応する大容量の配信情報が存在する旨を認識できるので、その大容量の配信情報の配信を受けるかどうかを判断できる。
【０２４２】
大容量の配信情報の配信を受ける場合、ユーザは、携帯電話機１を大容量情報配信装置５のＩＣリーダ／ライタ６０にかざし、該携帯電話機１をＩＣリーダ／ライタ６０と非接触型ＩＣ１０との間で近距離無線通信が可能な距離に近づける（ステップＳ１７）。
【０２４３】
すると、ＩＣリーダ／ライタ６０の希望配信情報読み取り部７２は、携帯電話機１の非接触ＩＣ１０の希望配信情報記憶部２２から希望配信ジャンルデータを読み取る。また、ＩＣリーダ／ライタ６０の詳細入手リスト読取部７４は、携帯電話機１の非接触ＩＣ１０の詳細入手リスト記憶部２３の記憶内容を読み取る。ここで、詳細入手リスト読取部７４は、既に要詳細項目が設定されていれば、要詳細項目データを読み取るが、未だ設定されていなければ、要詳細項目データを読み取ることはできない（ステップＳ２０）。
【０２４４】
次に、希望配信情報読み取り部７２は、読み取った希望配信ジャンルデータを情報配信部７３に出力する。また、詳細入手リスト読取部７４は、要詳細項目データを読み取った場合には、該要詳細項目データを詳細情報配信部７５に出力する。
【０２４５】
詳細情報配信部７５は、詳細入手リスト読取部７４から要詳細項目データが入力された場合、該要詳細項目データと合致する大容量の詳細情報を配信情報記憶部７１から検索し、検索した詳細情報を携帯電話機１の非接触型ＩＣ１０の配信情報記憶部２４に記憶させる。
【０２４６】
また、情報配信部７３は、希望配信情報読み取り部７２から入力される希望配信ジャンルデータと合致する大容量の配信情報を配信情報記憶部７１から検索する。そして、情報配信部７３は、合致する大容量の配信情報を検索できた場合には、検索した大容量の配信情報を携帯電話機１の非接触型ＩＣ１０の配信情報記憶部２４に記憶させる。
【０２４７】
すなわち、情報配信部７３は、希望配信ジャンルデータと合致する大容量の配信情報を近距離無線通信により非接触型ＩＣ１０に送信する。一方で、詳細情報配信部７５は、要詳細項目データと合致する大容量の詳細情報を配信情報記憶部７１から検索できた場合には、検索した詳細情報を近距離無線通信により非接触型ＩＣ１０に送信する（ステップＳ２１）。これにより、情報配信部７３は、詳細情報配信部７５は、配信情報、詳細情報を携帯電話機１の非接触型ＩＣ１０の配信情報記憶部２４に記憶させる（ステップＳ２３）。
【０２４８】
非接触型ＩＣ１０の配信情報取得部２１は、大容量情報配信装置５から配信情報或いは詳細情報が送信されると、その旨を制御部１２に通知する。
【０２４９】
制御部１２は、大容量情報配信装置５から配信情報或いは詳細情報が送信された旨の通知を非接触型ＩＣ１０から受けると、情報配信が完了した旨をユーザに報知する制御を行う（ステップＳ２４）。
【０２５０】
情報が配信された旨を報知する制御としては、例えば、表示部１４にその旨の表示を行わせる制御や、振動部１９を振動させる制御や、発音部１８に所定の発音動作を行わせる制御や、それらの２つ以上の制御を組み合わせて行うことが挙げられる。
【０２５１】
ステップＳ２４での報知により、ユーザは、情報配信が完了した旨を認識できるので、情報閲覧アプリケーションプログラム２９を起動させることにより図１１に示すような情報閲覧画面Ｇ２を表示部１４に表示させ、配信情報を閲覧することができる。
【０２５２】
本実施形態の場合、自動改札機２から携帯電話機１に小容量の配信情報が、大容量情報配信装置５から携帯電話機１に大容量の配信情報が、それぞれ配信された後では、図１１に示すように、例えば、画像を含む情報を情報閲覧画面Ｇ２に表示することができる。
【０２５３】
すなわち、制御部１２は、例えば、小容量の配信情報に基づくテキスト情報を、大容量の配信情報に基づく画像情報と、を情報閲覧画面Ｇ２に一度に表示させる。
【０２５４】
なお、小容量の配信情報と、大容量の配信情報とは、別個に情報閲覧画面Ｇ２に表示するようにしても良い。
【０２５５】
図１２は、本実施形態の場合に詳細情報を表示する情報閲覧画面Ｇ２の一例である。このように、詳細情報を表示する情報閲覧画面Ｇ２においては、上記の第１の実施形態と同様に、１つの項目についての詳細な情報を表示する。
【０２５６】
なお、配信情報に動画データが含まれている場合、動画を見るためのプレーヤとしては、携帯電話用ブラウザではなく、携帯電話機１に搭載された動画プレーヤを用いると良い。
【０２５７】
一方、大容量情報配信装置５は、上記のステップＳ２１に引き続き、ステップＳ２２の動作を行う。
【０２５８】
ステップＳ２２では、先のステップＳ２１にて、どの情報を携帯電話機１に配信したかを管理サーバ４に対して通知する。
【０２５９】
管理サーバ４は、どの情報を携帯電話機１に配信したかの通知を大容量情報配信装置５から受けると、配信状況記憶部５６に記憶されている配信状況データを更新する（ステップＳ２７）一方で、課金情報記憶部５７に記憶されている課金情報を更新する（ステップＳ２８）。
【０２６０】
以上のような第２の実施形態によれば、上記の第１の実施形態と同様の効果が得られる他に、以下の効果が得られる。
【０２６１】
すなわち、自動改札機２からは小容量の配信情報或いは詳細情報を携帯電話機１に配信することができる一方で、大容量情報配信装置５からは大容量の配信情報或いは詳細情報を携帯電話機１に配信することができる。
【０２６２】
よって、改札通過時の限られた短時間内では自動改札機２から携帯電話機１に配信できないような大容量の配信情報或いは詳細情報についても、大容量情報配信装置５から携帯電話機１に配信することができる。
【０２６３】
なお、上記の第２の実施形態では、大容量情報配信装置５は、大容量の情報のみを配信する例を説明したが、容量にかかわらず、全ての配信情報を配信できるようにしても良い。
【０２６４】
また、上記の各実施形態では、自動改札機２の情報配信部４１がＩＣリーダ／ライタ３０内の構成となっているが、情報配信部４１は、ＩＣリーダ／ライタ３０の外部の構成としても良い。
【０２６５】
同様に、上記の第２の実施形態では、大容量情報配信装置５の情報配信部７１がＩＣリーダ／ライタ６０内の構成となっているが、情報配信部７１は、ＩＣリーダ／ライタ６０の外部の構成としても良い。
【０２６６】
また、携帯電話機１側では、配信情報記憶部２４とは別に、記憶部１１内にも配信情報や詳細情報を記憶するようにしても良い。
【０２６７】
また、上記の各実施形態では、携帯電話機１が定期券機能を有する例を説明したが、定期券機能に限らず、定期券以外の乗車券としての機能を有するものとして構成しても良い。この場合、自動改札機２のＩＣリーダ／ライタ３０には、乗車区間に応じた運賃精算機能を持たせると良い。
【０２６８】
また、上記の各実施形態では、鉄道などの改札に設置された自動改札機２に情報配信機能を持たせた例を説明したが、バスに設置される料金機に上記の自動改札機２と同様の情報配信機能を持たせても良い。
【０２６９】
また、上記の各実施形態では、情報配信のための近距離無線通信として、非接触型ＩＣ１０とＩＣリーダ／ライタ３０とを用いた通信を例示したが、この例に限らない。例えば、ｂｌｕｅｔｏｏｔｈや赤外線通信などの近距離無線通信を用いても良い。この場合、非接触ＩＣチップを介した通信よりも通信範囲を広く設定できるため、情報配信装置を車両内に設置することも可能である。
【図面の簡単な説明】
【０２７０】
【図１】第１の実施形態に係る情報配信システムの全体構成を示す図である。
【図２】携帯電話機の構成を示すブロック図である。
【図３】自動改札機の構成を示すブロック図である。
【図４】管理サーバの構成を示すブロック図である。
【図５】配信情報設定画面の一例を示す図である。
【図６】配信情報を表示する情報閲覧画面の一例を示す図である。
【図７】詳細情報を表示する情報閲覧画面の一例を示す図である。
【図８】携帯電話機のユーザが改札を通過するときの一連の動作の流れを示す図である。
【図９】第２の実施形態に係る情報配信システムの全体構成を示す図である。
【図１０】大容量情報配信装置の構成を示すブロック図である。
【図１１】配信情報を表示する情報閲覧画面の一例を示す図である。
【図１２】詳細情報を表示する情報閲覧画面の一例を示す図である。
【図１３】携帯電話機のユーザが改札を通過するときの一連の動作の流れを示す図である。
【符号の説明】
【０２７１】
１    携帯電話機（携帯情報端末）
１０  非接触型ＩＣ（近距離無線通信部、端末側近距離無線通信部）
１３  操作部
１４  表示部
２０  定期券機能部
２１  配信情報取得部
２２  希望配信情報記憶部
２３  詳細入手リスト記憶部（要詳細項目記憶部）
２４  配信情報記憶部
２    自動改札機（情報配信装置、第１情報配信装置）
３０  ＩＣリーダ／ライタ（近距離無線通信部、第１配信装置側近距離無線通信部）
４０  定期券読み取り部
４１  配信情報記憶部（第１配信情報記憶部）
４２  希望配信情報読み取り部
４３  情報配信部
４４  詳細入手リスト読取部
４５  詳細情報配信部
４    管理サーバ（管理装置）
５    大容量情報配信装置（情報配信装置、第２情報配信装置）
６０  ＩＣリーダ／ライタ（近距離無線通信部、第２配信装置側近距離無線通信部）
７１  配信情報記憶部（第２配信情報記憶部）
７２  希望配信情報読み取り部
７３  情報配信部
７４  詳細入手リスト読取部
７５  詳細情報配信部
【図１】
2009130710.tif 000003
【図２】
2009130710.tif 000004
【図３】
2009130710.tif 000005
【図４】
2009130710.tif 000006
【図５】
2009130710.tif 000007
【図６】
2009130710.tif 000008
【図７】
2009130710.tif 000009
【図８】
2009130710.tif 000010
【図９】
2009130710.tif 000011
【図１０】
2009130710.tif 000012
【図１１】
2009130710.tif 000013
【図１２】
2009130710.tif 000014
【図１３】
2009130710.tif 000015